(57)【要約】【課題】防雪ネットに伸びが発生した場合でも、防雪ネットのたるみを防止することができる防雪柵を提供すること。【解決手段】所定間隔をおいて列設された支柱１間に防雪ネット２を介設した防雪柵において、防雪ネット２の端部を支柱１の内側に配設した柱状体３に固定するとともに、柱状体３をばね部材４を介し支柱１に外方向に付勢して取り付ける。【選択図】  図２
2004316403.tif 000002
【特許請求の範囲】
【請求項１】
所定間隔をおいて列設された支柱間に防雪ネットを介設した防雪柵において、防雪ネットの端部を支柱の内側に配設した柱状体に固定するとともに、該柱状体をばね部材を介し支柱に外方向に付勢して取り付けたことを特徴とする防雪柵。
【請求項２】
前記柱状体を、防雪ネットを挿通させる隙間を形成して前記支柱に取り付けられる柱状体本体と、防雪ネットの端部が折り返すように巻回される棒材とにより構成し、防雪ネットを棒材を介し圧接して固定するようにしたことを特徴とする請求項１記載の防雪柵。
【請求項３】
防雪ネットが、一軸延伸したポリプロピレン、超高分子ポリエチレン等の大きい引張強度を有する合成樹脂製の芯テープの表面にエチレン−酢酸ビニル共重合体、塩化ビニル樹脂等の熱可塑性樹脂製の被覆層を形成した被覆テープを縦糸及び横糸とし、これら縦糸と横糸の交点を高周波溶着したものであることを特徴とする請求項１又は２記載の防雪柵。
【発明の詳細な説明】
【０００１】
【発明の属する技術分野】
本発明は、防雪柵に関し、特に、防雪ネットに伸びが発生した場合でも、防雪ネットのたるみを防止することができる防雪柵に関するものである。
【０００２】
【従来の技術】
多雪地域の道路や軌道などでは、その側縁に沿って風上側に防雪柵が設置される。
この防雪柵は、所定間隔をおいて列設された複数の支柱間に防雪板や防雪ネットを介設するもので、近年では、見通し性を考慮して防雪ネットが使用される防雪柵が好まれつつある。
このような防雪柵に使用される防雪ネットは、合成樹脂製のテープ状体からなる縦糸と横糸の交点を固着した網体によって構成されている。
【０００３】
【発明が解決しようとする課題】
ところで、上記従来の防雪柵においては、防雪ネットを支柱間に固定しているが、積雪や強風あるいは温度変化によって防雪ネットが伸び、その後、支柱間で防雪ネットがたるむという問題があった。
【０００４】
本発明は、上記従来の防雪柵が有する問題点に鑑み、防雪ネットに伸びが発生した場合でも、防雪ネットのたるみを防止することができる防雪柵を提供することを目的とする。
【０００５】
【課題を解決するための手段】
上記目的を達成するため、本発明の防雪柵は、所定間隔をおいて列設された支柱間に防雪ネットを介設した防雪柵において、防雪ネットの端部を支柱の内側に配設した柱状体に固定するとともに、該柱状体をばね部材を介し支柱に外方向に付勢して取り付けたことを特徴とする。
【０００６】
この防雪柵は、防雪ネットの端部を支柱の内側に配設した柱状体に固定するとともに、該柱状体をばね部材を介し支柱に外方向に付勢して取り付けることから、防雪ネットが伸びた場合でも、この伸びをばね部材により吸収することができ、これにより、防雪ネットのたるみを防止することができる。
【０００７】
この場合において、前記柱状体を、防雪ネットを挿通させる隙間を形成して前記支柱に取り付けられる柱状体本体と、防雪ネットの端部が折り返すように巻回される棒材とにより構成し、防雪ネットを棒材を介し圧接して固定することができる。
【０００８】
これにより、局部的に力を作用させることなく、また、防雪ネット全体に均等に張力をかけて設置することができる。
【０００９】
また、防雪ネットを、一軸延伸したポリプロピレン、超高分子ポリエチレン等の大きい引張強度を有する合成樹脂製の芯テープの表面にエチレン−酢酸ビニル共重合体、塩化ビニル樹脂等の熱可塑性樹脂製の被覆層を形成した被覆テープを縦糸及び横糸とし、これら縦糸と横糸の交点を高周波溶着したものとすることができる。
【００１０】
これにより、防雪ネットの引張強度を向上させることができる。
【００１１】
【発明の実施の形態】
以下、本発明の防雪柵の実施の形態を図面に基づいて説明する。
【００１２】
図１〜図４に、本発明の防雪柵の一実施例を示す。
この防雪柵は、所定間隔をおいて地上に支柱１を列設し、各支柱１間に防雪ネット２を介設するもので、防雪ネット２の端部２１を支柱１の内側に配設した柱状体３に固定するとともに、該柱状体３をばね部材４を介し支柱１に外方向に付勢して取り付けている。
【００１３】
前記柱状体３は、防雪ネット２を挿通させる隙間３１を形成して前記支柱１に取り付けられる柱状体本体３２と、防雪ネット２の端部２１が折り返すように巻回される棒材３３とにより構成され、防雪ネット２は棒材３３を介して圧接することにより固定されている。
柱状体本体３２は、本実施例では、断面Ｌ字状のアングル材３４と、該アングル材３４の内側に配設されたパイプ３５とからなり、アングル材３４とパイプ３５とは、ボルト３６とナット３７ａ、３７ｂにより一体化されている。
アングル材３４とパイプ３５を固定するこのボルト３６は、支柱１の外側まで延設されており、支柱１を摺動自在に貫通するとともに、両側の支柱１の外側でばね部材４を介装してナット３７ｃで締結することにより、柱状体３を外側に付勢している。
なお、このばね部材４による柱状体３の付勢は、片側の柱状体３又は両側の柱状体３において実施することが可能であり、片側の柱状体３において実施する場合には、他の柱状体３のアングル材３４とパイプ３５を固定するボルト３６は、支柱１を貫通し、ナット３７ｄ、３７ｅにより締結する。
【００１４】
この場合、図３に示すように、防雪ネット２の柱状体３への固定と、柱状体３の支柱１への固定とを、例えば、上下で個別に行うようにすることができる。
すなわち、防雪ネット２の固定は、図３（ａ）に示すように、短めに形成したボルト３６ａ及びナット３７ｆ、３７ｇにより独立して複数箇所、特に限定されるものではないが、例えば、２箇所で行うとともに、柱状体３の支柱１への固定は、図３（ｂ）に示すように、防雪ネット２の固定とは別に柱状体３を貫通するボルト３６ｂによって独立して複数箇所、特に限定されるものではないが、例えば、防雪ネット２の固定箇所を挟むように、２箇所で行うようにすることができる。
柱状体３を支柱１に固定するボルト３６ｂは、端部が支柱１にナット３７ｈ、３７ｉにより固定されるとともに、柱状体３を摺動自在に貫通し、柱状体３の内側で、ばね部材４を介装してナット３７ｊで締結することにより、柱状体３を外側に付勢している。
なお、図３に示す変形例のその他の構成は、図２と同様である。
【００１５】
また、防雪ネット２は、例えば、図４に示すように、一軸延伸したポリプロピレン、超高分子ポリエチレン等の大きい引張強度を有する合成樹脂製の芯テープ５１の表面にエチレン−酢酸ビニル共重合体、塩化ビニル樹脂等の熱可塑性樹脂製の被覆層５２を形成した被覆テープ５を縦糸及び横糸とし、これら縦糸と横糸の交点５３を高周波溶着したものからなり、これにより、防雪ネット２の引張強度を向上させることができる。
【００１６】
かくして、本実施例の防雪柵は、防雪ネット２の端部２１を支柱１の内側に配設した柱状体３に固定するとともに、該柱状体３をばね部材４を介し支柱１に外方向に付勢して取り付けることから、防雪ネット２が伸びた場合でも、この伸びをばね部材４により吸収することができ、これにより、防雪ネット２のたるみを防止することができる。
そして、前記柱状体３を、防雪ネット２を挿通させる隙間３１を形成して前記支柱１に取り付けられる柱状体本体３２と、防雪ネット２の端部２１が折り返すように巻回される棒材３３とにより構成し、防雪ネット２を棒材３３を介し圧接して固定することにより、局部的に力を作用させることなく、また、防雪ネット２全体に均等に張力をかけて設置することができる。
【００１７】
以上、本発明の実施例を説明したが、本発明の防雪柵の構成は、この実施例の記載に限定されるものではなく、その趣旨を逸脱しない範囲において適宜に変更することが可能である。
【００１８】
【発明の効果】
本発明の防雪柵によれば、防雪ネットの端部を支柱の内側に配設した柱状体に固定するとともに、該柱状体をばね部材を介し支柱に外方向に付勢して取り付けることから、防雪ネットが伸びた場合でも、この伸びをばね部材により吸収することができ、これにより、防雪ネットのたるみを防止することができる。
【００１９】
この場合、前記柱状体を、防雪ネットを挿通させる隙間を形成して前記支柱に取り付けられる柱状体本体と、防雪ネットの端部が折り返すように巻回される棒材とにより構成し、防雪ネットを棒材を介し圧接して固定することにより、局部的に力を作用させることなく、また、防雪ネット全体に均等に張力をかけて設置することができる。
【００２０】
また、防雪ネットを、一軸延伸したポリプロピレン、超高分子ポリエチレン等の大きい引張強度を有する合成樹脂製の芯テープの表面にエチレン−酢酸ビニル共重合体、塩化ビニル樹脂等の熱可塑性樹脂製の被覆層を形成した被覆テープを縦糸及び横糸とし、これら縦糸と横糸の交点を高周波溶着したものとすることにより、防雪ネットの引張強度を向上させることができる。
【図面の簡単な説明】
【図１】本発明の防雪柵の一実施例を示す斜視図である。
【図２】同実施例の防雪柵を示し、（ａ）は平面図、（ｂ）は要部の拡大平面図である。
【図３】同実施例の防雪ネットの固定構造の変形例を示し、（ａ）は断面平面図、（ｂ）は平面図である。
【図４】防雪ネットの例を示し、（ａ）は部分正面図、（ｂ）は被覆テープの斜視図である。
【符号の説明】
１    支柱
２    防雪ネット
２１  端部
３    柱状体
３１  隙間
３２  柱状体本体
３３  棒材
３４  アングル材
３５  パイプ
４    ばね部材
５    被覆テープ
５１  芯テープ
５２  被覆層
５３  交点
【図１】
2004316403.tif 000003
【図２】
2004316403.tif 000004
【図３】
2004316403.tif 000005
【図４】
2004316403.tif 000006